(57)【要約】      （修正有）【課題】いくつかのゴルフティーを纏めて係留するための係留具であって、極力軽量でコンパクトなゴルフティー係留具を提供する。【解決手段】裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と当該雌面ファスナーを脱着容易に接合する雄面ファスナーをティー周囲に張り合わせたことを特徴とするゴルフティーの組合せ。【選択図】図１
0003119461.tif 000002
【実用新案登録請求の範囲】
【請求項１】
裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と当該雌面ファスナーを脱着容易に接合する雄面ファスナーをティー周囲に張り合わせたことを特徴とするゴルフティーの組合せ。
【請求項２】
裏側シートの辺中央部４箇所を糸で縫って結合させて４つの放射状部を形成したことを特徴とする請求項１記載のゴルフティー係留具と請求接続具が鎖であることを特徴とする請求項１〜２記載のゴルフティー係留具と請求項１〜２記載のゴルフティーの組合せ。
【請求項３】
接続具が鎖であることを特徴とする請求項１〜２記載のゴルフティー係留具と請求項１〜２記載のゴルフティーの組合せ。
【請求項４】
請求項１〜３記載のゴルフティー係留具と当該雌面ファスナーを脱着容易に接合する雄面ファスナーをティーの羽部の周囲に張り合わせたことを特徴とする請求項１〜３記載のゴルフティーの組合せ。
【請求項５】
当該矩形のシートが裏側シートと雌面ファスナーの二層からなり、裏側シートと雌面ファスナーが接着剤で張り合わせたことを特徴とする請求項１〜４記載のゴルフティー係留具と請求項１〜４記載のゴルフティーの組合せ。
【請求項６】
当該矩形のシートが裏側シートと雌面ファスナーの二層からなり、裏側シートと雌面ファスナーが接着剤で張り合わせたことを特徴とする請求項１〜４記載のゴルフティー係留具とゴルフティー係留具と請求項１〜４記載のゴルフティーの組合せ。
【請求項７】
接続具の他端部において接続されているボール部が、ボール部が貫通孔を有し、貫通孔に接続具が貫通されて、貫通孔の他端部が止め具で止められたことを特徴とする請求項１〜５記載のゴルフティー係留具と請求項１〜５記載のゴルフティーの組合せ。
【考案の詳細な説明】
【技術分野】
【０００１】
この考案は、本発明は、ゴルフホールからゴルフホールへ移動する際に使用する脱着容易に係留するためのゴルフティー係留具とゴルフティーに関する考案である。さらに詳しくは、プレーヤーの動きを妨げることがなく、また非常に使いやすいゴルフティー係留具とゴルフティーに関する考案である。
【背景技術】
【０００２】
従来、ゴルフプレーヤーは、いくつかのゴルフティーを携帯しなければならない。ゴルフプレーヤーがティーオフからカートまで、忘れたティーを取りに返らなければならないとしたら、彼は全体のゴルフコースにおいてゲームを遅らせることになってしまう。それゆえ、多くのゴルフプレーヤーは、最重要なゴルフティーは、衣服のポケットに入れて携帯する。しかし、ゴルフティーは、ハンカチを取り出すときに外へ落ち易いので、または、それらが嵩張って身体を圧迫するため集中力を減退して、ゴルフスイングの流れが阻害されるので、不都合であった。
また、ゴルフティーは、衣服のポケットに入れて携帯すると、ゴルフティーに付着した土砂がポケットの中に落ちて衣服を汚すという不都合もあった。
このような欠点を除くために考案されたものとして、考案者が把握している特開平８−２２９１７４号公報がある。
特開平８−２２９１７４号公報に記載された考案は、「プレーヤーのどのような動きをも妨げることがなく、非常に使い易いゴルフティー携帯用具を提供することを課題としたものである。
上記課題を解消するために、ベルトと、少なくとも一つのティー、グリーンフォーク（ピッチマークリムーバー）、およびマーカーを収納するための携帯要素と、ボール保持具とを有するとともに、携帯要素とボール保持具とが、それぞれベルトに着脱自在に取付けられていることを特徴とするゴルフ用品携帯用具が、特開平８−２２９１７４号公報に開示されている。
上記開示の技術は、少なくとも一つのティー、グリーンフォーク（ピッチマークリムーバー）、およびマーカーを収納するための携帯要素と、ボール保持具とを有するとともに、携帯要素とボール保持具とが、それぞれベルトに着脱自在に取付けられていることを特徴とする技術であるが、いくつかのゴルフティーを纏めて係留するための係留具については、具体的に何ら開示されていない。
すなわち、いくつかのゴルフティーを纏めて係留するための係留具を提供するという課題解決のための具体的手段は、特開平８−２２９１７４号公報には何ら開示されていない。
【０００３】
【特許文献１】実用新案登録第３０１３９１８号公報
【考案の開示】
【考案が解決しようとする課題】
【０００４】
考案が解決しようとする第一の課題は、いくつかのゴルフティーを纏めて係留するためのゴルフティー係留具を提供することである。
考案が解決しようとする第二の課題は、いくつかのゴルフティーを纏めて係留するための係留具であって、極力軽量でコンパクトなゴルフティー係留具を提供することである。
考案が解決しようとする第三の課題は、いくつかのゴルフティーを纏めて係留するための係留具であって、意匠的にも優れたゴルフティー係留具を提供することである。
＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊
【課題を解決するための手段】
【０００５】
課題を解決するための手段は、実用新案登録請求の範囲の各請求項に記載の考案で有り、具体的には以下の考案である。
〔請求項１〕  裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と当該雌面ファスナーを脱着容易に接合する雄面ファスナーをティー周囲に張り合わせたことを特徴とするゴルフティーの組合せ。
〔請求項２〕  裏側シートの辺中央部４箇所を糸で縫って結合させて４つの放射状部を形成したことを特徴とする請求項１記載のゴルフティー係留具と請求項１記載のゴルフティーの組合せ。
〔請求項３〕  接続具が鎖であることを特徴とする請求項１〜２記載のゴルフティー係留具と請求項１〜２記載のゴルフティーの組合せ。
〔請求項４〕  請求項１〜３記載のゴルフティー係留具と当該雌面ファスナーを脱着容易に接合する雄面ファスナーをティーの羽部の周囲に張り合わせたことを特徴とする請求項１〜３記載のゴルフティーの組合せ。
〔請求項５〕  当該矩形のシートが裏側シートと雌面ファスナーの二層からなり、裏側シートと雌面ファスナーが接着剤で張り合わせたことを特徴とする請求項１〜４記載のゴルフティー係留具と請求項１〜４記載のゴルフティーの組合せ。
〔請求項６〕  当該矩形のシートが裏側シートと雌面ファスナーの二層からなり、裏側シートと雌面ファスナーが接着剤で張り合わせたことを特徴とする請求項１〜４記載のゴルフティー係留具とゴルフティー係留具と請求項１〜４記載のゴルフティーの組合せ。
〔請求項７〕  接続具の他端部において接続されているボール部が、ボール部が貫通孔を有し、貫通孔に接続具が貫通されて、貫通孔の他端部が止め具で止められたことを特徴とする請求項１〜５記載のゴルフティー係留具と請求項１〜５記載のゴルフティーの組合せ。
＊＊＊＊＊＊＊＊＊＊＊＊＊＊＊＊＊＊＊＊＊＊＊＊＊＊＊＊＊＊＊＊＊＊＊
＜用語の説明＞
ここにおいて、本願の実用新案登録請求の範囲、明細書、図面の記載の用語の解釈上の疑義を解消すべく、以下の通り用語の説明を行なう。
○裏側シートとは、矩形のシートの構成要素であって、矩形のシートの表面を雌面ファスナーで構成し、裏面を裏側シートで構成する。矩形のシートは、二層構造からなり、二層シートである。
裏側シートの機能は、矩形のシートの強度を増すと共に、雌面ファスナーを張り合わせる機材の機能を発揮する。
○面ファスナーとは、鉤状の突起が一面についた布（雌面ファスナー）と、パイル状の面（雄面ファスナー）で一組みとなった留め具をいう。
○雌面ファスナーとは、鉤状の突起が一面についた布部をいう。
【０００６】
本願発明では、裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と当該雌面ファスナーを脱着容易に接合する雄面ファスナーをティー周囲に張り合わせたことを特徴とするゴルフティーの組合せの構成を採用することによって、雄面ファスナーをティー周囲に張り合わせたゴルフティーの雄面ファスナーとゴルフティー係留具の雌面ファスナーを脱着容易に接合することによって、ゴルフホールからゴルフホールへ移動する際に、ゴルフティーを脱着容易にゴルフティー係留具に係留させる。
○雄面ファスナーとは、パイル状の面をいう。一般には、ザラザラした感触があり極力人の皮膚に触れないように配慮される。
当該雌面ファスナーを脱着容易に接合する雄面ファスナーをゴルフティー周囲に張り合わせている。
ゴルフティー周囲の雄面ファスナーがゴルフティー係留具の雌面ファスナーと脱着容易に接合することによって、ゴルフホールからゴルフホールへ移動する際に、ゴルフティーを脱着容易にゴルフティー係留具に係留させている。
○紛失（脱落）とは、特に、ゴルフホールからゴルフホールへ移動する際に、ゴルフティーがゴルフプレーヤーの身体から気が付かないうちに離れてしまうことをいう。
なお、ゴルフティーの紛失（脱落）は、全体のゴルフコースにおいてゲームを遅らせることになってしまう。
○係留とは、ゴルフティーをゴルフプレーヤーの身体から紛失（脱落）しないように留めておくことをいい、係留具とは、ゴルフティーをゴルフプレーヤーの身体から紛失（脱落）しないように留めておくための道具をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
○請求項１記載考案の特徴的構成要件について以下説明する。
【０００７】
請求項１記載考案の特徴的構成要件は、「裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と当該雌面ファスナーを脱着容易に接合する雄面ファスナーをティー周囲に張り合わせたことを特徴とするゴルフティーの組合せ」であり、かかる構成とすることにより、以下のような当業者が予知できない顕著な効果を発揮することができた。
考案が解決しようとする第一の課題は、いくつかのゴルフティーを纏めて係留するためのゴルフティー係留具を提供することである。
考案が解決しようとする第三の課題は、いくつかのゴルフティーを纏めて係留するための係留具であって、意匠的にも優れたゴルフティー係留具を提供することである。
（１）考案が解決しようとする第一の課題である「いくつかのゴルフティーを纏めて係留するためのゴルフティー係留具を提供すること」を達成することができた。
裏側シートの辺中央部４箇所を張り合わせて４つの放射状部を形成したことによって、４つの表面が雌面ファスナーである凹部を形成して、表面が雄面ファスナーである凸部からなるゴルフティーをゴルフティー係留具の凹部の雌面ファスナー部で、脱着容易に接合することによって、１個のゴルフティー係留具で、最大４個のゴルフティーを係留させることができる。
（２）考案が解決しようとする第二の課題である「いくつかのゴルフティーを纏めて係留するための係留具であって、極力軽量でコンパクトなゴルフティー係留具を提供すること」が達成できた。
本考案のゴルフティー係留具は、裏側シートと雌面ファスナーの二層からなる矩形のシートと接続具の一端部において接続されているクリップと接続具の他端部において接続されているボール部の極力軽量部材からなり、片手の指２〜３本で摘めるほどのコンパクトなゴルフティー係留具を提供することができた。
（３）考案が解決しようとする第三の課題である「いくつかのゴルフティーを纏めて係留するための係留具であって、意匠的にも優れたゴルフティー係留具を提供すること」が達成できた。
本発明の構成とすることにより、人手のような立体的な構成となり、人手の手の隙間にティーを挟み込んで係留させる本考案は、意匠的にも優れたゴルフティー係留具を提供することが可能となった。
単にゴルフティー係留具の意匠だけでなく、ゴルフティーを挟み込んで係留した際の意匠も優れたものであった。
○請求項２記載考案の特徴的構成要件について以下説明する。
【０００８】
請求項２記載考案の特徴的構成要件は、「裏側シートの辺中央部４箇所を糸で縫って結合させて４つの放射状部を形成したこと」である。
上記構成とすることによって、ボールを矩形シートで覆い包むことによって立体的なゴルフティー係留具を実現でき、４つの放射状部の隙間の凹部雄面ファスナーで、ゴルフティーの雄面ファスナーと脱着容易に接合することによって、特徴的なゴルフティー係留具を提供することができた。
また、このように、低コストのゴルフティー係留具を提供することが可能となった。
○請求項３記載考案の特徴的構成要件について以下説明する。
【０００９】
請求項３記載考案の特徴的構成要件は、「接続具が鎖であること」を特徴とすることである。
具体的に、接続具が鎖であることによって、考案が解決しようとする第三の課題である「いくつかのゴルフティーを纏めて係留するための係留具であって、意匠的にも優れたゴルフティー係留具を提供すること」を達成することができた。
○請求項４記載考案の特徴的構成要件について以下説明する。
請求項４記載考案の特徴的構成要件は、「当該雌面ファスナーを脱着容易に接合する雄面ファスナーをティーの羽部の周囲に張り合わせたこと」である。
ゴルフティーには、羽部を有するゴルフティーと羽部を有しないゴルフティーがある。本考案は、羽部を有するゴルフティーにおいて、当該雌面ファスナーを脱着容易に接合する雄面ファスナーをティーの羽部の周囲に張り合わせたものである。
かかる構成とすることによって、羽部の周囲の面積は大きくなっているので、雄面ファスナーの接合面積が大きくなるので、ゴルフティーがゴルフティー係留具から脱着しにくいという効果を奏する。
○請求項５記載考案の特徴的構成要件について以下説明する。
請求項５記載考案の特徴的構成要件は、「当該矩形のシートが裏側シートと雌面ファスナーの二層からなり、裏側シートと雌面ファスナーが接着剤で張り合わせたこと」を特徴とすることである。
当該矩形のシートが必要とする強度を裏側シートが担い、雄面ファスナーとの接合を雌面ファスナーが担うことになる。
雌面ファスナーの強度上の弱点を、裏側シートによって補うべく、当該矩形のシートの構成を裏側シートと雌面ファスナーの二層からなる構成とした。
○請求項６記載考案の特徴的構成要件について以下説明する。
請求項６記載考案の特徴的構成要件は、「裏側シートと雌面ファスナーが接着剤で張り合わせたこと」を特徴とすることである。
請求項６記載考案の特徴的構成要件は、請求項５記載考案の特徴的構成要件を具体的に規定したものである。
裏側シートと雌面ファスナーが接着剤で張り合わせたことにより、合成張りの原理により、面の曲げ強度が向上し、シートとして腰の強いシートとなった。
○請求項７記載考案の特徴的構成要件について以下説明する。
請求項７記載考案の特徴的構成要件は、「接続具の他端部において接続されているボール部が、ボール部が貫通孔を有し、貫通孔に接続具が貫通されて、貫通孔の他端部が止め具で止められたこと」を特徴とすることである。
請求項７記載考案の特徴的構成要件は、請求項１記載考案の構成要件「接続具の他端部において接続されているボール部」の構成をより具体的に規定したものである。
接続具の他端部がボール部に接続する技術的手段として、「、ボール部が貫通孔を有し、貫通孔に接続具が貫通されて、貫通孔の他端部が止め具で止められたこと」を採用したものである。
【考案の効果】
【００１０】
この考案においては、上述した考案が解決しようとする課題（目的）を全て達成することができた。
○考案が解決しようとする第一の課題の達成
本発明によれば、ゴルフホールからゴルフホールへ移動するために、いくつかのゴルフティーを纏めて係留するためのゴルフティー係留具を提供すること（考案が解決しようとする第一の課題）を達成することができた。
○考案が解決しようとする第二の課題の達成
いくつかのゴルフティーを纏めて係留するための係留具であって、極力軽量でコンパクトなゴルフティー係留具を提供すること（考案が解決しようとする第二の課題の達成））を達成することができた。
○考案が解決しようとする第三の課題の達成
いくつかのゴルフティーを纏めて係留するための係留具であって、意匠的にも優れたゴルフティー係留具を提供すること（考案が解決しようとする第三の課題の達成））を達成することができた。
【考案を実施するための最良の形態】
【００１１】
考案を実施するための最良の形態について以下説明する。
【００１２】
各請求項記載の考案の特徴的構成要件において、上述した効果を充分に発揮させることができた。
【実施例１】
【００１３】
以下、この考案における一実施例を図について説明する。
〔図１〕  本考案のゴルフティー係留具の一実施例(正面図)である。
〔図2〕  本考案のゴルフティー係留具の一実施例(平面図)である。
〔図3〕  本考案のゴルフティーの一実施例である。
〔図4〕  本考案のゴルフティーの他の実施例である。
〔図5〕  考案のゴルフティーを本考案のゴルフティー係留具で係留した状態図（平面図）である。
〔図6〕  本考案のゴルフティー係留具の製作過程の図である。
〔図7〕  本考案の矩形シートの一実施例である。
図１において、ゴルフティー係留具１０は、裏側シート１１ｂと雌面ファスナー１１ａの二層からなる矩形のシート１１と接続具１６の一端部において接続されているクリップ１５と接続具１６の他端部において接続されているボール部１４からなる。
当該矩形のシート１１が裏側シート１１ｂと雌面ファスナー１１ａの二層からなり、当該矩形のシート１１の中心に中心孔１１ｃを有し、かつ当該接続具１６で中心孔１１ｃを貫通させた後、当該シート１１の裏側シート側がボール部１４を覆うようにすると共に、裏側シート１１ｂの辺中央部４箇所Ａ、Ｂ、Ｃ、Ｄを張り合わせて４つの放射状部１２を形成している。
裏側シート１１ｂの辺中央部４箇所Ａ、Ｂ、Ｃ、Ｄを糸で縫って結合させて４つの放射状部１２を形成した。
接続具１６は鎖で構成した
当該雌面ファスナー１１ａを脱着容易に接合する雄面ファスナー２２をティーの羽部２１の周囲に張り合わせた。
当該矩形のシート１１が裏側シート１１ｂと雌面ファスナー１１ａの二層からなり、裏側シート１１ｂと雌面ファスナー１１ａが接着剤で張り合わせた。
接続具１６の他端部において接続されているボール部１４が、ボール部１４が貫通孔１４ｃを有し、貫通孔１４ｃに接続具１６が貫通されて、貫通孔１４ｃの他端部が止め具１６ｅで止められた。
＜ゴルフティー係留具とゴルフティーの制作方法＞
図５において、当該矩形のシート１１が裏側シート１１ｂと雌面ファスナー１１ａの二層からなり、裏側シート１１ｂと雌面ファスナー１１ａが接着剤で張り合わせた矩形のシート１１を使用して、ゴルフティー係留具の製作をした。
上記の工程を経て、図１のゴルフ手袋係留具を完成させた。
【００１４】
図５の矩形のシート１１の中心に中心孔１１ｃを設けた。矩形のシート１１の手前側が裏側シート１１ｂである。矩形のシート１１の向こう側が雄面ファスナー１１ａである。
【００１５】
そして、実線部Ｌ１は矩形シート１１ａを向こう側に折り曲げる折線Ｌ、点線部Ｌ２は手前側に折り曲げる折線Ｌである。
【００１６】
図6のように、接続具１６の一端部において接続されているクリップ１５と接続具の他端部において接続されているボール部１４を準備する。
【００１７】
さらに、図7のように中心に中心孔１１ｃを設けた矩形のシート１１を準備する。
【００１８】
上記クリップ１５を、矩形のシート１１の中心孔１１ｃに通す（図6参照）。
【００１９】
次に、当該シート１６の裏側シート側がボール部１４を覆うようにすると共に、裏側シートの辺中央部４箇所Ａ、Ｂ、Ｃ、Ｄを張り合わせて４つの放射状部１２を形成させて、ゴルフティー係留具の製作を完了した。
一方、当該雌面ファスナー１１ａを脱着容易に接合する雄面ファスナー２２をティー羽部２１周囲に接着剤で張り合わせてゴルフティー２０の製作を完了した（図3、図４を参照）。
＊＊＊＊＊＊＊＊＊＊＊＊＊＊＊＊＊＊＊＊＊＊＊＊＊＊＊＊＊＊＊＊＊＊
＜本考案の使用方法＞
＜ゴルフティー係留具とゴルフティーの使用方法＞
図３において、当該ゴルフティー２０の雄面ファスナーが、矩形のシート１１雌面ファスナー１１ａに脱着容易に接合させる。
【００２０】
図5では、４個のゴルフティー２０を、ゴルフティー係留具に係留させた使用状態図を示している。
４個のゴルフティー２０を、係留したゴルフティー係留具のクリップでバンド、ポケットの縁に引っ掛けた。
このようにして、ゴルフホールからゴルフホールへ移動する際に使用する脱着容易に係留するためのゴルフティー係留具１０とゴルフティー２０に関する考案である。
【図面の簡単な説明】
【００２１】
【図１】本考案のゴルフティー係留具の一実施例(正面図)である。
【図２】本考案のゴルフティー係留具の一実施例(平面図)である。
【図３】本考案のゴルフティーの一実施例である。
【図４】本考案のゴルフティーの他の実施例である。
【図５】考案のゴルフティーを本考案のゴルフティー係留具で係留した状態図（平面図）である。
【図６】本考案のゴルフティー係留具の製作過程の図である。
【図７】本考案の矩形シートの一実施例である。
【符号の説明】
【００２２】
１０  ゴルフティー係留具
１１  矩形シート
１１ａ  雌面ファスナー
１１ｂ  裏側シート
１１ｃ  中心孔
１２  放射状部
１３  凹部
１４  ボール部
１４ｃ  貫通孔
１５  クリップ
１６  接続具
１６ｅ  止め具
２０  ゴルフティー
２１  羽部
２２  雄面ファスナー
２３  ゴルフティー
【図１】
0003119461.tif 000003
【図２】
0003119461.tif 000004
【図３】
0003119461.tif 000005
【図４】
0003119461.tif 000006
【図５】
0003119461.tif 000007
【図６】
0003119461.tif 000008
【図７】
0003119461.tif 000009
【手続補正書】
【提出日】平成17年12月4日(2005.12.4)
【手続補正１】
【補正対象書類名】実用新案登録請求の範囲
【補正対象項目名】全文
【補正方法】変更
【補正の内容】
【実用新案登録請求の範囲】
【請求項１】
裏側シートと雌面ファスナーの二層からなる矩形のシートと接続具の一端部において接続されているクリップと接続具の他端部において接続されているボール部からなるゴルフティー係留具とゴルフティーの組合せにおいて、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と、当該雌面ファスナーを脱着容易に接合する雄面ファスナーをティー周囲に張り合わせたことを特徴とするゴルフティー、の組合せ。
【請求項２】
裏側シートの辺中央部４箇所を糸で縫って結合させて４つの放射状部を形成したことを特徴とする請求項１記載のゴルフティー係留具とゴルフティーの組合せ。
【請求項３】
接続具が鎖であることを特徴とする請求項１〜２記載のゴルフティー係留具とゴルフティーの組合せ。
【請求項４】
当該雌面ファスナーを脱着容易に接合する雄面ファスナーをティーの羽部の周囲に張り合わせたことを特徴とする請求項１〜３記載のゴルフティー係留具とゴルフティーの組合せ。
【請求項５】
当該矩形のシートが裏側シートと雌面ファスナーの二層からなり、裏側シートと雌面ファスナーが接着剤で張り合わせたことを特徴とする請求項１〜４記載のゴルフティー係留具とゴルフティーの組合せ。
【請求項６】
当該矩形のシートが裏側シートと雌面ファスナーの二層からなり、裏側シートと雌面ファスナーが接着剤で張り合わせたことを特徴とする請求項１〜４記載のゴルフティー係留具とゴルフティー係留具とゴルフティーの組合せ。
【請求項７】
接続具の他端部において接続されているボール部が、ボール部が貫通孔を有し、貫通孔に接続具が貫通されて、貫通孔の他端部が止め具で止められたことを特徴とする請求項１〜５記載のゴルフティー係留具とゴルフティーの組合せ。
【手続補正２】
【補正対象書類名】明細書
【補正対象項目名】０００５
【補正方法】変更
【補正の内容】
【０００５】
課題を解決するための手段は、実用新案登録請求の範囲の各請求項に記載の考案で有り、具体的には以下の考案である。
［請求項１］  裏側シートと雌面ファスナーの二層からなる矩形のシートと接続具の一端部において接続されているクリップと接続具の他端部において接続されているボール部からなるゴルフティー係留具において、当該矩形のシートが裏側シートと雌面ファスナーの二層からなり、当該矩形のシートの中心に中心孔を有し、かつ当該接続具で中心孔を貫通させた後、当該シートの裏側シート側がボール部を覆うようにすると共に、裏側シートの辺中央部４箇所を張り合わせて４つの放射状部を形成したことを特徴とするゴルフティー係留具と、当該雌面ファスナーを脱着容易に接合する雄面ファスナーをティー周囲に張り合わせたことを特徴とするゴルフティー、の組合せ。
［請求項２］  裏側シートの辺中央部４箇所を糸で縫って結合させて４つの放射状部を形成したことを特徴とする請求項１記載のゴルフティー係留具とゴルフティーの組合せ。
［請求項３］  接続具が鎖であることを特徴とする請求項１〜２記載のゴルフティー係留具とゴルフティーの組合せ。
［請求項４］  請求項１〜３記載のゴルフティー係留具と当該雌面ファスナーを脱着容易に接合する雄面ファスナーをティーの羽部の周囲に張り合わせたことを特徴とするゴルフティーの組合せ。
［請求項５］  当該矩形のシートが裏側シートと雌面ファスナーの二層からなり、裏側シートと雌面ファスナーが接着剤で張り合わせたことを特徴とする請求項１〜４記載のゴルフティー係留具とゴルフティーの組合せ。
［請求項６］  当該矩形のシートが裏側シートと雌面ファスナーの二層からなり、裏側シートと雌面ファスナーが接着剤で張り合わせたことを特徴とする請求項１〜５記載のゴルフティー係留具とゴルフティー係留具とゴルフティーの組合せ。
［請求項７］  接続具の他端部において接続されているボール部が、ボール部が貫通孔を有し、貫通孔に接続具が貫通されて、貫通孔の他端部が止め具で止められたことを特徴とする請求項１〜５記載のゴルフティー係留具とゴルフティーの組合せ。
＊＊＊＊＊＊＊＊＊＊＊＊＊＊＊＊＊＊＊＊＊＊＊＊＊＊＊＊＊＊＊＊＊＊＊
＜用語の説明＞
ここにおいて、本願の実用新案登録請求の範囲、明細書、図面の記載の用語の解釈上の疑義を解消すべく、以下の通り用語の説明を行なう。
○裏側シートとは、矩形のシートの構成要素であって、矩形のシートの表面を雌面ファスナーで構成し、裏面を裏側シートで構成する。矩形のシートは、二層構造からなり、二層シートである。
裏側シートの機能は、矩形のシートの強度を増すと共に、雌面ファスナーを張り合わせる機材の機能を発揮する。
○面ファスナーとは、鉤状の突起が一面についた布（雌面ファスナー）と、パイル状の面（雄面ファスナー）で一組みとなった留め具をいう。
○雌面ファスナーとは、鉤状の突起が一面についた布部をいう。